(57)【要約】      （修正有）【課題】基体の付着物を剥ぎ取る際に、付着物が絡み込むことがなく、長持ちする予洗い用メッシュ状ミトンを提供する。【解決手段】付着物の絡み込まない、通気性の良い１本線状部材で構成されるポリエチレン製メッシュの剥ぎ取り具であって、着脱しやすいミトン型手袋の形態を有し、メッシュを構成する線状部材の直径が約０．４ミリ、メッシュの１辺が４〜５ミリ角であることを特徴とした、調理具、食器、植物、水槽、花瓶、シンク等に使用可能な付着物剥ぎ取り具。【選択図】図２
2014046186.tif 000002
【特許請求の範囲】
【請求項１】
ナイロンなどのネット（１）をミトン型にして人差し指部分角にヘラ（２）の一体化を設けた食器の予洗い専用ネット。
【発明の詳細な説明】
【発明の詳細な説明】
【技術分野】
【０００１】  この発明は、ネットをミトン型にして人差し指部分角にヘラ（２）を一体化させた食器の予洗い専用ネットに関するものである。
【背景技術】
【０００２】  従来、食器洗いはスポンジ類が多く予洗い専用は見つからなかった。
【発明が解決しようとする課題】
【０００３】  これはつぎのような欠点があった。
（イ）従来、炊飯器やカレーの鍋、油の多い食器など洗う時スポンジの目の中に食べ物や油が絡み込み不衛生かつ長持ちしなかった。
（ロ）予洗い専用にと汚いスポンジを使用又は、たわしで予洗いしていたがやはり不衛生である。
本発明は、以上のような欠点を失くすためになされたものである。
【課題を解決するための手段】
【０００４】  絡み込むスポンジをなくしネットだけをミトン型に設けた予洗い専用ネットである。
【発明を実施するための形態】
【０００５】以下、本発明の実施の形態について説明する。オクラなど野菜の入っているプラスチック又は、ナイロンなどのネットを利用した時思いつき、入手できた時に限り数年間利用しているが、食べかすも油も絡み込まなくて大変便利。
ただ、すぐに破れてしまうのでふちを強化したミトン型にして、人差し指角はヘラ（２）を一体化させた。
本発明は、以上のような構造でこれを使用するときは、澱粉質は少し水に浸してからミトンに手を通して擦る。（予洗いなので、洗剤は必要ない）
その後、通常通り食器洗いスポンジ等で洗う又は食洗機にかけると綺麗に洗い上げることができる
【発明の効果】
【０００６】（イ）スポンジや細かい繊維ではないので食べかすなどが絡み込まない。
（ロ）食洗機へは予洗い専用ネットのみで洗って投入することができる。
（ハ）その他の使用法として、水槽のヌメリ洗い、台所シンク洗いにも役立つ。
【図面の簡単な説明】
【図１】本発明の正面図である。
【符号の説明】１  ネット
２  ヘラ
【図１】
2014046186.tif 000003
【手続補正書】
【提出日】平成25年11月13日(2013.11.13)
【手続補正１】
【補正対象書類名】明細書
【補正対象項目名】全文
【補正方法】変更
【補正の内容】
【発明の詳細な説明】
【技術分野】
【０００１】
この発明は、基体に付着した付着物を剥ぎ取る為のメッシュ状の剥ぎ取り具であって、ミトン型手袋状の形態を有し、そのミトン型は親指が横に分離型ではなく、四本指と親指が上下に向かい合う形状で、それを利用して基体を挟み込んで剥ぎ取る事の可能な構造とし、メッシュを構成する線状部材の直径が約0．４ミリ、メッシュの１辺が４ミリ~５ミリであることを特徴とするポリエチレン製剥ぎ取り具である。さらに通気性を保ため、手を通す部分に引っ掛け用のループを有する。
【背景技術】
【０００２】
従来、基体の剥ぎ取り具は、目の詰まりやすいスポンジ、たわし、目の細かく極細繊維を集結させた繊維を有した食器洗いと称されるものしかなく、予洗い専用は見つからなかった。
【発明の概要】
【発明が解決しようとする課題】
【０００３】
（イ）現状の食器洗い具を調べた結果、スポンジや、布巾の様な滑らかな物、またメッシュであっても、１本線状部材でなく、極細繊維を集結させた付着物の絡み込みやすい形状を有したうえ、さらにスポンジが内蔵されている物ばかりで、これらは基体から付着物を剥ぎ取った後の事は考えていないため、付着物が絡み込んだ後、それを取り除くのが大変な事や、速乾性にも優れていないため、不衛生になる事も考えていない物であって、しかし、現状それしか見当たらなかった。
（ロ）これは次のような欠点があった。従来基体が炊飯器、寿司桶、カレー鍋、シフォンケーキ型、餅つきの杵と臼、納豆の付着した器や箸等だった場合、澱粉質や油脂、ケーキ生地、ヌメリなどの付着物が食器洗いスポンジ等に絡み込み、不衛生かつ劣化が早かった。
【課題を解決するための手段】
【０００４】
予洗い専用として、付着物が絡み込まない通気性速乾性に優れるメッシュ状のミトンを考案した。
【発明の効果】
【０００５】
基体が調理具や食器に留まらず、水槽や花瓶の付着物までもスルスルと付着物を剥ぎ取ることが可能になった。また、基体が植物であても、皮や土等の付着物を細部まで剥ぎ取ることも可能であった。
【発明を実施するための形態】
【０００６】
以下、本発明の実施の形態について説明する。オクラなど野菜の入っているプラスチック製ネットを思い付きで予洗いに使用したところ、基体付着物が絡み込まなく大変役立った。
メッシュを構成する線状部材を直径が約０．４ミリ、メッシュの１辺が４ミリ~
５ミリであることを特徴としたミトン型を使用することにより、丈夫で速乾性に優れた剥ぎ取り具が仕上がる。
本発明は、以上のような構造でこれを使用する時は、付着物を少し水に浸してから手をミトンに通して付着物を剥ぎ取る。その際、予洗いなので、洗剤は不必要とし、食器洗い機にはその後、入れることが可能である。
【実施例】
【０００７】
ポリエチレン製メッシュネットを購入し、自作して１年半使用した結果、基体が調理具又は食器でなくとも、ごぼうなど植物に付着する皮や土、水槽や花瓶、シンクに付着するヌメリ、重複であるが、納豆を扱った後の食器、スイーツ好きが必ず作るシフォンケーキ型に付着した生地等が、スルスルと剥ぎ取ることが可能であった。珍しい使用法として、栗の渋皮煮を作る際、通常重曹を用いて渋皮を柔らかくするが、このメッシュミトンで極限まで渋皮が薄くなるよう剥ぎ取り、煮てみたところ、ほぼ重曹入れた時同様の仕上がりであった。
また、メッシュを構成する線状部材について、これ以上部材の直径が細すぎる物は弱く破れやすく、メッシュの１辺も細か過ぎては付着物が目に詰まり、反対にこれ以上大きくすると指が突き出てこれもまた破れる原因となることが実証された。  
【図面の簡単な説明】
【０００８】
【図１】全体図
【図２】斜視図
【図３】ケーキ型等洗い図
【図４】筒状又はごぼう洗い図
【図５】平面洗い図
【図６】メッシュ拡大図
【図７】メッシュ線状部材拡大図
【産業上の利用可能性】
【０００９】
家庭の調理具や食器、シンク洗いはもちろん、ケーキ屋で働いた経験上、ケーキの型洗いに有用性があるため、利用価値がある。寿司屋で働いた経験上、寿司桶、飯の付着した食器洗い、納豆巻きを作る際に使用の道具類洗いにも利用価値が大きい。趣味のパン作りに於いても同様のことが言える。さらに、一物全体を主としたマクロビオテックでの、植物を皮さら丸ごと頂く理念に於いても、植物の余分な付着物を剥ぎ取ることが可能なので、ここ数年増えているマクロビ主義者にとっても利用価値がある。
水槽や花瓶を利用する家庭や店等でも、ガラスを傷つける事無く洗剤無しで洗い上げることも可能であるため、ペットショップ等でも利用可能である。
【符号の説明】
【００１０】
１.  a ループ
２.  A メッシュ１辺のミリ
３.  D メッシュを構成する線状部材の直径ミリ
【手続補正２】
【補正対象書類名】特許請求の範囲
【補正対象項目名】全文
【補正方法】変更
【補正の内容】
【特許請求の範囲】
【請求項１】
基体に付着した付着物を剥ぎ取るためのメッシュ状剥ぎ取り具であって、ミトン型手袋の形態を有し、メッシュを構成する線状部材の直径が約０．４ミリ、メッシュの１辺が４~５ミリであることを特徴とするポリエチレン製剥ぎ取り具。
【請求項２】
基体の指先接ぎ合わせ部分を強化し、手の平側にて基体を挟み込み、部分的付着物を剥ぎ取りやすい形状とする。
【請求項３】
基体が植物であって、付着物はその皮や土に到る付着物の剥ぎ取り具。
【請求項４】
基体が調理具や食器であって、それに付着した付着物剥ぎ取り具。例図３
【請求項５】
基体が水槽や花瓶、シンクであって、付着物がヌメリである場合の剥ぎ取り具。
【請求項６】
請求項４に重複するが、基体に納豆が付着した場合の剥ぎ取り具。
【請求項７】
速乾性を助長するため、ひっかけることの可能なループ付きである。
【手続補正３】
【補正対象書類名】図面
【補正対象項目名】全図
【補正方法】変更
【補正の内容】
【図１】
2014046186.tif 000004
【図２】
2014046186.tif 000005
【図３】
2014046186.tif 000006
【図４】
2014046186.tif 000007
【図５】
2014046186.tif 000008
【図６】
2014046186.tif 000009
【図７】
2014046186.tif 000010